(57)【要約】【課題】異常振動の発生させずにクリアなジュースをつくることができる電動調理器を提供することを目的とする。【解決手段】駆動側コネクタ２２、２３に着脱自在に係合する従動側コネクタ２５、２６をもつカッター２７および分離籠２８と、分離籠２８の内側に着脱自在に係合された液体を分離する筒状のフィルタ２９と、フィルタ２９で分離された液体を受ける容器３０と、容器３０を覆う蓋３１と、フィルタ２９の内側に着脱自在に係合され、環状に巻いたメッシュフィルタ３６の外周を枠で覆い筒状に一体化した枠付メッシュフィルタ３５を設け、回転動作時に枠付メッシュフィルタ３５の下部と分離籠２８の間に空隙４０が形成されるようにしたことにより、枠付メッシュフィルタ３５の内部に溜まった水分の逃げる隙間４０が確保され、異常振動を防止することができる。【選択図】図１
2013128542.tif 000002
【特許請求の範囲】
【請求項１】
モータを内蔵する本体と、前記モータの出力側に設けた駆動側コネクタと、前記駆動側コネクタに着脱自在に係合する従動側コネクタをもつカッターおよび分離籠と、前記分離籠の内側に着脱自在に係合された液体を分離する筒状のフィルタと、前記フィルタで分離された液体を受ける容器と、前記容器を覆う蓋と、前記フィルタの内側に着脱自在に係合され、環状に巻いたメッシュフィルタの外周を枠で覆い筒状に一体化した枠付メッシュフィルタを設け、回転動作時に前記枠付メッシュフィルタの下部と前記分離籠の間に空隙が形成されるようにしたことを特徴とする電動調理器。
【請求項２】
モータを内蔵する本体と、前記モータの出力側に設けた駆動側コネクタと、前記駆動側コネクタに着脱自在に係合する従動側コネクタをもつカッターおよび分離籠と、前記分離籠の内側に着脱自在に係合され、環状に巻いたメッシュフィルタの外周を枠で覆い筒状に一体化した枠付メッシュフィルタと、前記枠付メッシュフィルタで分離された液体を受ける容器と、前記容器を覆う蓋を設け、回転動作時に前記枠付メッシュフィルタの下部と前記分離籠の間に空隙が形成されるようにしたことを特徴とする電動調理器。
【発明の詳細な説明】
【技術分野】
【０００１】
本発明は、主として野菜、果物等を粉砕して液体物と固形物を分離させることによりジュースをつくる、例えばジューサーなどの電動調理器に関するものである。
【背景技術】
【０００２】
従来、この種の電動調理器は、図８のように、モータと接続されたモータ出力軸１の出力側に駆動側コネクタ２、３を設けた本体４と、駆動側コネクタ２，３に着脱自在に係合する従動側コネクタ５、６をもつカッター７および分離籠８を装備し、前記分離籠８内には液体を分離する着脱自在のフィルタ９を設け、前記フィルタ９で分離された液体を受ける容器１０と、前記容器１０を覆う蓋１１を有し、前記フィルタ１０の内側に着脱自在の帯状のメッシュフィルタ１２を環状に巻いて取り付ける構成としたものであった。
【０００３】
このようにすることにより、分離籠８にメッシュフィルタ１２を装着した場合には、クリアなジュースをつくることができる。（例えば、特許文献１参照）
【先行技術文献】
【特許文献】
【０００４】
【特許文献１】特公昭６１−３９８０６号公報
【特許文献２】特公昭６１−４０４０７号公報
【発明の概要】
【発明が解決しようとする課題】
【０００５】
しかしながら、前記従来の構成（特許文献１参照）では、メッシュフィルタは形状の自由度がありすぎるが故に取り扱い性に劣る面があり、また、その端面も取り扱いによってはほつれる場合があった。そこで、インサート成形により環状に巻いたメッシュフィルタの外周を枠で覆い筒状に一体化して形状を安定化した枠付メッシュフィルタとすることにより、前記課題に対応することが可能になる（特許文献２参照）が、ジュースを絞っているときに枠の下部と分離籠の隙間が少ないと、メッシュ部が絞りかすで覆われた際に、枠付メッシュフィルタの内部に溜まった水分の逃げ場がなくなり、溜まった水分のアンバランスの影響により、異常振動が起こる場合があることがわかった。
【０００６】
本発明は、前記課題を解決するもので、異常振動の発生しないクリアなジュースをつくることができる電動調理器を提供することを目的とする。
【課題を解決するための手段】
【０００７】
本発明は、前記従来の課題を解決するために、回転動作時に枠付メッシュフィルタの下部と分離籠の間に空隙が形成されるようにしたものである。これによって、回転動作時に空隙が形成されるようにしたことにより、枠付メッシュフィルタの内部に溜まった水分の逃げる隙間が確保され、異常振動を防止することができる。
【０００８】
請求項１に記載の発明は、モータを内蔵する本体と、前記モータの出力側に設けた駆動側コネクタと、前記駆動側コネクタに着脱自在に係合する従動側コネクタをもつカッターおよび分離籠と、前記分離籠の内側に着脱自在に係合された液体を分離する筒状のフィルタと、前記フィルタで分離された液体を受ける容器と、前記容器を覆う蓋と、前記フィルタの内側に着脱自在に係合され、環状に巻いたメッシュフィルタの外周を枠で覆い筒状に一体化した枠付メッシュフィルタを設け、回転動作時に前記枠付メッシュフィルタの下部と前記分離籠の間に空隙が形成されるようにしたことを特徴としている。
【０００９】
請求項２に記載の発明は、モータを内蔵する本体と、前記モータの出力側に設けた駆動側コネクタと、前記駆動側コネクタに着脱自在に係合する従動側コネクタをもつカッターおよび分離籠と、前記分離籠の内側に着脱自在に係合され、環状に巻いたメッシュフィルタの外周を枠で覆い筒状に一体化した枠付メッシュフィルタと、前記枠付メッシュフィルタで分離された液体を受ける容器と、前記容器を覆う蓋を設け、回転動作時に前記枠付メッシュフィルタの下部と前記分離籠の間に空隙が形成されるようにしたことを特徴としている。
【発明の効果】
【００１０】
本発明の電動調理器は、異常振動を発生させずにクリアなジュースをつくることができる。
【図面の簡単な説明】
【００１１】
【図１】本発明の実施の形態１における電動調理器の断面図
【図２】同電動調理器の要部断面拡大図
【図３】同電動調理器の要部斜視図
【図４】同電動調理器の要部斜視図
【図５】同電動調理器の要部斜視図
【図６】同電動調理器の要部斜視図
【図７】本発明の実施の形態２における電動調理器の断面図
【図８】従来の電動調理器の断面図
【発明を実施するための形態】
【００１２】
第１の発明は、モータを内蔵する本体と、前記モータの出力側に設けた駆動側コネクタと、前記駆動側コネクタに着脱自在に係合する従動側コネクタをもつカッターおよび分離籠と、前記分離籠の内側に着脱自在に係合された液体を分離する筒状のフィルタと、前記フィルタで分離された液体を受ける容器と、前記容器を覆う蓋と、前記フィルタの内側に着脱自在に係合され、環状に巻いたメッシュフィルタの外周を枠で覆い筒状に一体化した枠付メッシュフィルタを設け、回転動作時に前記枠付メッシュフィルタの下部と前記分離籠の間に空隙が形成されるようにしたことにより、枠付メッシュフィルタの内部に溜まった水分の逃げる隙間が確保され、異常振動を防止することができる。
【００１３】
第２の発明は、モータを内蔵する本体と、前記モータの出力側に設けた駆動側コネクタと、前記駆動側コネクタに着脱自在に係合する従動側コネクタをもつカッターおよび分離籠と、前記分離籠の内側に着脱自在に係合され、環状に巻いたメッシュフィルタの外周を枠で覆い筒状に一体化した枠付メッシュフィルタと、前記枠付メッシュフィルタで分離された液体を受ける容器と、前記容器を覆う蓋を設け、回転動作時に前記枠付メッシュフィルタの下部と前記分離籠の間に空隙が形成されるようにしたことにより、枠付メッシュフィルタの内部に溜まった水分の逃げる隙間が確保され、異常振動を防止することができる。
【００１４】
以下、本発明の実施の形態について、図面を参照しながら説明する。なお、この実施の形態が本発明を限定されるものではない。
【実施例】
【００１５】
（実施の形態１）
図１は、本発明の第１の実施の形態における電動調理器の断面図を示すものである。
【００１６】
図２は同電動調理器の要部断面拡大図である。また、図３〜図６は要部斜視図である。
【００１７】
図１において、実施の形態１の電動調理器は、モータ（図示せず）の出力側（モータ出力軸２１側）に駆動側コネクタ２２、２３を設けた本体２４と、駆動側コネクタ２２，２３に着脱自在に係合する従動側コネクタ２５、２６をもつカッター２７および分離籠２８を装備し、分離籠２８内には液体を分離する着脱自在のフィルタ２９を設け、フィルタ２９で分離された液体を受ける容器３０と、容器３０を覆う蓋３１を有した構成としている。
【００１８】
フィルタ２９は櫛部３２を有しており、この部位でジュースを分離する。また、分離籠２８の凹部３３に凸部３４を係合させるようになっており、分離籠２８は係合した凸部３４が外れない方向に回転するようになっている。
【００１９】
３５は枠付メッシュフィルタで、環状に巻いたメッシュフィルタ３６の外周をＰＰなどの樹脂枠３７で覆いインサート成形により筒状に一体化されており、フィルタ２９の内側に着脱自在に係合されている。具体的にはフィルタ２９の凸部３８と枠付メッシュフィルタの係合部３９が係合することで、枠付メッシュフィルタ３５の上方への移動が規制されるようになっている。メッシュフィルタ３６のメッシュサイズは数十メツシユあるいは数百メツシユのサイズとしている。
【００２０】
枠付メッシュフィルタ３５やフィルタ２９は回転動作時は上方に浮くので、回転動作時において通常は枠付メッシュフィルタ３５の下部と分離籠２８の間には空隙４０が発生するが、分離籠２８とフィルタ２９と枠付メッシュフィルタ３５の高さ方向の部品ばらつきを含めた最悪条件でも、回転動作時に空隙４０が形成されるように寸法設定してある。さらに寸法設定した空隙４０に相当する高さの突起４１を枠付メッシュフィルタ３５の下枠４２に設けており、これにより空隙４０は確実に形成されることになる。
【００２１】
たとえば、最も異常振動が起こりやすかったキウィでジュースを作った場合に、回転動作時の空隙を０ｍｍの条件で実験を行うと、数回に一度異常振動が起こり、０．１ｍｍの空隙の条件で実験を行うと異常振動が発生しなかったことから、少なくとも０．１ｍｍ以上の空隙が必要である。空隙を大きくすれば、より安全性が高まるが、その分空隙からのカス漏れが増え、クリアなジュース性能が低下していくため、適切な設定が必要である。      
【００２２】
以上のように構成された電動調理器について、以下その動作、作用を説明する。
【００２３】
モータの動力がモータ出力軸２１を介して伝達された駆動側コネクタ２２と、従動側コネクタ２５を介しカッター２７を回転させて調理物を切削し、同じく駆動側コネクタ２２と、従動側コネクタ２６を介しスピンナーを回転させてフィルタ２９により液体と固形物を分離させる。フィルタ２９で分離された液体は、容器３０を通過し、外部へ放出される。クリアなジュースを作る時は、フィルタ２９の内側に着脱可能な枠付メッシュフィルタ３５を装着すればよい。
【００２４】
枠付メッシュフィルタ３５を装着した状態でジュースを絞っているときに下枠４２と分離籠２８の隙間が少ないと、メッシュフィルタ３６が絞りかすで覆われると枠付メッシュフィルタ３５の内部に溜まった水分の逃げ場がなくなり、溜まった水分のアンバランスの影響により、異常振動が起こる場合があることを見出しているが、本構成では空隙４０を設けているため、水分の逃げる隙間が確保され、異常振動を防止することができる。
【００２５】
また、フィルタ２９の内側に枠付メッシュフィルタ３５を配置しているので、収納に便利であり、才数ダウンにもつなげることも可能である。
【００２６】
以上のように、本実施の形態においては、回転動作時に枠付メッシュフィルタ３５の下部と分離籠２８の間に空隙４０が形成されるようにしたことにより、枠付メッシュフィルタ３５の内部に溜まった水分の逃げる隙間が確保され、異常振動を発生させずにクリアなジュースをつくることができる。また、フィルタ２９の内側に枠付メッシュフィルタ３５を配置しているので、収納に便利であり、才数ダウンにもつなげることも可能である。
【００２７】
（実施の形態２）
図７は、本発明の第２の実施の形態における電動調理器の断面図を示すものである。
【００２８】
本実施の形態は、実施の形態１から、フィルタ２９を削除した形態である。
【００２９】
図７において、実施の形態２の電動調理器は、モータ（図示せず）の出力側（モータ出力軸２１側）に駆動側コネクタ２２、２３を設けた本体２４と、駆動側コネクタ２２，２３に着脱自在に係合する従動側コネクタ２５、２６をもつカッター２７および分離籠２８を装備し、分離籠２８内には液体を分離する着脱自在の枠付メッシュフィルタ５０を設け、枠付メッシュフィルタ５０で分離された液体を受ける容器３０と、容器３０を覆う蓋３１を有した構成としている。
【００３０】
枠付メッシュフィルタ５０と分離籠２８との係合については、実施の形態１のフィルタ２９と分離籠２８の係合と同様の構成である。（図面、説明は省略）。
【００３１】
枠付メッシュフィルタ５０の構成も実施の形態１の枠付メッシュフィルタ３５と同様の構成であり説明を省略する。
【００３２】
以上のように構成された電動調理器について、以下その動作、作用を説明する。
【００３３】
モータの動力がモータ出力軸２１を介して伝達された駆動側コネクタ２２と、従動側コネクタ２５を介しカッター２７を回転させて調理物を切削し、同じく駆動コネクタ２３と、従動側コネクタ２６を介しスピンナーを回転させて枠付メッシュフィルタ５０により液体と固形物を分離させる。枠付メッシュフィルタ５０で分離された液体は、容器３０を通過し、外部へ放出される。
【００３４】
枠付メッシュフィルタ５０を装着した状態でジュースを絞っているときに下枠４２と分離籠２８の隙間が少ないと、メッシュフィルタ５２が絞りかすで覆われると枠付メッシュフィルタ５０の内部に溜まった水分の逃げ場がなくなり、溜まった水分のアンバランスの影響により、異常振動が起こる場合があることを見出しているが、本構成では空隙４０を設けているため、水分の逃げる隙間が確保され、異常振動を防止することができる。
【００３５】
以上のように、本実施の形態においては、回転動作時に枠付メッシュフィルタ５０の下部と分離籠２８の間に空隙４０が形成されるようにしたことにより、枠付メッシュフィルタ５０の内部に溜まった水分の逃げる隙間が確保され、異常振動を発生させずにクリアなジュースをつくることができる。
【産業上の利用可能性】
【００３６】
以上のように、本発明にかかる電動調理器は、異常振動の発生しないクリアなジュースをつくることができるので、枠付メッシュフィルタと分離籠を用いて、クリアなジュースやクリアな液体を得ようとする他の応用にも適用できる。
【符号の説明】
【００３７】
２１  モータ出力軸
２２、２３  駆動側コネクタ
２４  本体
２５，２６  従動側コネクタ
２７  カッター
２８  分離籠
２９  フィルタ
３０  容器
３１  蓋
３５、５０  枠付メッシュフィルタ
３６、５１  メッシュフィルタ
４０  空隙
【図１】
2013128542.tif 000003
【図３】
2013128542.tif 000004
【図４】
2013128542.tif 000005
【図５】
2013128542.tif 000006
【図６】
2013128542.tif 000007
【図７】
2013128542.tif 000008
【図８】
2013128542.tif 000009
【図２】
2013128542.tif 000010